(57)【要約】【課題】  本発明は、排水口に向かって高圧水を浴びせても、内部に浸水するのを防止することができる電気接続箱の排水構造を提供する。【解決手段】  本発明の電気接続箱の排水構造は、電気接続箱の底壁１に排水口２が形成されており、排水口２に連通され、底壁１から下方に突出して形成された筒状の連結部３と、連結部３の下部に連通され、排水口２から連結部３を通った水を外部に排出するとともに、外部からの水を貫通する貫通口４ｂ，４ｃを備えた筒状の排水部４とを有する。貫通口は、外部からの水を通す第１の貫通口４ｂと、外部からの水と排水口２からの水とを外部に排出する第２の貫通口４ｃとからなる。排水部４の底面は、第１の貫通口４ｂから第２の貫通口４ｃに向かって下り勾配に傾斜して形成されている。【選択図】  図１
2006254517.tif 000002
【特許請求の範囲】
【請求項１】
電気接続箱の底壁に排水口が形成されている電気接続箱の排水構造において、
前記排水口に連通され、前記底壁から下方に突出して形成された筒状の連結部と、
前記連結部の下部に連通され、前記排水口から連結部を通った水を外部に排出するとともに、外部からの水を貫通する貫通口を備えた筒状の排水部と、
を有することを特徴とする電気接続箱の排水構造。
【請求項２】
前記貫通口は、外部からの水を通す第１の貫通口と、外部からの水と排水口からの水とを外部に排出する第２の貫通口とからなることを特徴とする請求項１に記載の電気接続箱の排水構造。
【請求項３】
前記排水部の底面は、前記第１の貫通口から第２の貫通口に向かって下り勾配に傾斜して形成されていることを特徴とする請求項２に記載の電気接続箱の排水構造。
【請求項４】
前記連結部の下部の内面には、前記第２の貫通口側に向かって下り勾配に傾斜して形成された傾斜面を備えた突起部を備えていることを特徴とする請求項３に記載の電気接続箱の排水構造。
【発明の詳細な説明】
【技術分野】
【０００１】
本発明は、自動車等に搭載される電気接続箱の排水構造に関し、特に、電気接続箱の内部の水を排水するとともに、外部から水が浸入するのを防止する電気接続箱の排水構造に関する。
【背景技術】
【０００２】
一般に、自動車等の車両においては、ワイヤハーネス接続用の部品や、ヒューズ、リレー、電子制御ユニット等の電気部品等を収容するために、ジャンクションボックス、ヒューズボックス、リレーボックス等の電気接続箱が用いられている。
【０００３】
電気接続箱は、エンジンルームや車体の下方側部に配置されている場合が多く、激しい雨が降った場合や高圧洗浄水で洗浄した場合等には、電気接続箱の内部に水が浸入することがある。また、電気接続箱内で結露が生じ、水滴がたまる場合もある。このように電気接続箱内に水が溜まると、回路等の部品が短絡したり、リーク電流が流れるおそれがあり、誤動作の原因になるとともに、部品の溶損等の原因にもなる。
【０００４】
そこで、電気接続箱の内部の水抜きをするために、電気接続箱のロアケース、あるいはロアカバーを被せている場合には、ロアカバーの底壁に排水口を形成し、電気接続箱の内部の水を排水口から外部に排出し、電気接続箱の内部に水が溜まらないようにしている。
【０００５】
従来の電気接続箱の排水構造においては、電気接続箱内部の水を排水するとともに、外部から水が浸入するのを防止するものが提案されている。
【０００６】
例えば、特開平８−３２２１２４号公報には、電気接続箱のケース底壁に排水口を設け、排水口の周縁に、一部周縁を残してケース内部側へ上向き突出する縦防水壁を設け、縦防水壁の先端に連結すると共に排水口と対向する横防水壁を設け、上記縦防水壁と連続していない横防水壁の先端より、排水口側に向けて下向きに突出する下向き防水壁を設け、かつ、ケース底壁は排水口に向けて下向きに傾斜させている電気接続箱の排水（防水）構造が提案されている。
【０００７】
従来の構造の電気接続箱によれば、排水口からケース内部に浸入しようとする水のうち、上向きに浸入する水は排水口と対向する横防水壁で遮断され浸入できず、斜め上向きで浸入する水は排水口の周囲の縦防水壁により遮断され浸入できない。
【０００８】
【特許文献１】特開平８−３２２１２４号公報
【発明の開示】
【発明が解決しようとする課題】
【０００９】
従来の排水構造では、縦防水壁が形成されていない隙間から浸入する水は横防水壁から下向きに突出した下向き防水壁で遮られ浸入しにくい。
【００１０】
しかし、ＪＡＳＯ規格による高水圧噴射試験（ＪＡＳＯ  Ｄ６１６−９９）や高圧洗浄等により、排水口に向かって高圧水を浴びせた場合には、水の勢いにより、隙間からケース底壁の内面に沿って電気接続箱の内部に浸水する可能性があるという課題がある。
【００１１】
本発明は、上記課題を解決するためになされたものであり、排水口に向かって高圧水を浴びせても、内部に浸水するのを防止することができる電気接続箱の排水構造を提供することを目的とする。
【課題を解決するための手段】
【００１２】
本発明の電気接続箱の排水構造は、電気接続箱の底壁に排水口が形成されておあり、前記排水口に連通され、前記底壁から下方に突出して形成された筒状の連結部と、前記連結部の下部に連通され、前記排水口から連結部を通った水を外部に排出するとともに、外部からの水を貫通する貫通口を備えた筒状の排水部と、を有することを特徴とするものである。
【００１３】
前記貫通口は、外部からの水を通す第１の貫通口と、外部からの水と排水口からの水とを外部に排出する第２の貫通口とからなる。
【００１４】
前記排水部の底面は、前記第１の貫通口から第２の貫通口に向かって下り勾配に傾斜して形成されていてもよい。
【００１５】
前記連結部の下部の内面には、前記第２の貫通口側に向かって下り勾配に傾斜して形成された傾斜面を備えた突起部を備えていてもよい。
【発明の効果】
【００１６】
本発明によれば、外部から上向きに浸入しようとする水は、排水部の外壁によって遮断されるので、電気接続箱の内部に浸入することを防止できる。
【００１７】
また、外部から斜め上向き又は横向きに浸入しようとする水は、排水部の第１の貫通口を通って、第２の貫通口から外部に排出される。
【００１８】
特に、ＪＡＳＯ規格による高水圧噴射試験（ＪＡＳＯ  Ｄ６１６−９９）や高圧洗浄等により、排水口に向かって高圧水を浴びせた場合であっても、排水部によって高圧水を貫通させて排出させるので、電気接続箱の内部に浸水することを防止できる。また、外部からの水を貫通させることにより、排水部に受ける負荷を低減できるので、部材の損傷や劣化を防止できる。
【発明を実施するための最良の形態】
【００１９】
以下、本発明の実施の形態について図面を参照して説明する。図１（Ａ）は、本発明の実施の形態に係る電気接続箱の排水構造を示す平面図、（Ｂ）は、（Ａ）のＩ−Ｉ線断面図、図２（Ａ）は、図１（Ａ）のＩＩ−ＩＩ線断面図、（Ｂ）は、（Ａ）の第２の貫通口側からみた側面断面図である。
【００２０】
図１及び図２に示すように、本発明の実施の形態に係る電気接続箱の排水構造は、電気接続箱のロアケース又はロアカバーの底壁１に形成された排水口２に連通する筒状の連結部３と、連結部３の下部に連通する筒状の排水部４とを有する。
【００２１】
電気接続箱の底壁１は、排水口２に向かって下り勾配に傾斜して形成されている。
【００２２】
連結部３は、底壁１から所定の長さで下方に突出して形成されている。
【００２３】
排水部４には、連結部３の下部に連通する連通口４ａと、外部からの水を通す第１の貫通口４ｂと、外部からの水と排水口２からの水とを外部に排出する第２の貫通口４ｃとが形成されている。
【００２４】
第２の貫通口４ｃは、第１の貫通口４ｂよりも縦幅が長く、排水部４の底面４ｄは、第１の貫通口４ｂから第２の貫通口４ｃに向かって下り勾配に傾斜して形成されている。また、排水部４には、上面４ｅを備えている。
【００２５】
連結部３の下部の内面（連通口４ａの部分）には、第２の貫通口４ｃ側に向かって下り勾配に傾斜して形成された傾斜面を備えた突起部５を備えている。
【００２６】
本発明の実施の形態に係る電気接続箱の排水構造では、電気接続箱の内部に浸水した水は、底壁１に落下し、その傾斜面に沿って排水口２に集まり、連結部３、連通口４ａ、排水部４を通って、第２の貫通口４ｃから外部に排出される。連結部３の下部の内面に突起部５を備えているので、排水口２からの水は、突起部５の傾斜面に沿って、第２の貫通口４ｃ側に導かれる。
【００２７】
一方、外部から上向きに浸入しようとする水は、排水部４の外壁によって遮断されるので、電気接続箱の内部に浸入することを防止できる。
【００２８】
また、外部から斜め上向き又は横向きに浸入しようとする水は、底面４ｄに沿って第２の貫通口４ｃから外部に排出される。即ち、まず第１の貫通口４ｂから浸入した水は、突起部５の底面によって、電気接続箱内部まで直接的に浸入することが防止されており、突起部５によって撥ね返った水は底部４ｄに沿って第２の貫通口４ｃから外部に排出される。また第２の貫通ロ４ｃから浸入した水は、第２の貫通口４ｃの上面４ｅによって電気接続箱内部まで直接的に浸入することが防止されており、上面４ｅによって撥ね返った水は底部４ｄに沿って第２の貫通ロ４ｃから外部に排出される。
【００２９】
また、ＪＡＳＯ規格による高水圧噴射試験（ＪＡＳＯ  Ｄ６１６−９９）や高圧洗浄等により、排水口２に向かって高圧水を浴びせた場合は、排水部４によって高圧水を貫通させて排出させるので、電気接続箱の内部に浸水することを防止できる。また、外部からの水を貫通させることにより、排水部４に受ける負荷を低減できるので、部材の損傷や劣化を防止できる。
【００３０】
本発明は、上記実施の形態に限定されることはなく、特許請求の範囲に記載された技術的事項の範囲内において、種々の変更が可能である。例えば、図面に開示された各部材の形状は例示であり、これに限定されるものではない。また、第１の貫通口４ｂと第２の貫通口４ｃの位置が逆であってもよい。
【産業上の利用可能性】
【００３１】
本発明は、自動車等に搭載される各種の電気接続箱において、電気接続箱の内部の水を排水するとともに、外部から水が浸入するのを防止するために適用される。
【図面の簡単な説明】
【００３２】
【図１】（Ａ）は、本発明の実施の形態に係る電気接続箱の排水構造を示す平面図、（Ｂ）は、（Ａ）のＩ−Ｉ線断面図である。
【００３３】
【図２】（Ａ）は、図１（Ａ）のＩＩ−ＩＩ線断面図、（Ｂ）は、（Ａ）の第２の貫通口側からみた側面断面図である。
【符号の説明】
【００３４】
１：底壁
２：排水口
３：連結部
４：排水部
４ａ：連通口
４ｂ：第１の貫通口
４ｃ：第２の貫通口
４ｄ：底面
４ｅ：上面
５：突起部
【図１】
2006254517.tif 000003
【図２】
2006254517.tif 000004